(57)【特許請求の範囲】
【請求項１】
画面に地図を表示する地図表示手段と、
前記画面の所定位置に相当する前記地図上の地点において所定の事象が起こると予測される場合に、当該所定の事象が起こること及び起こるまでの時間を示すメッセージを表示するメッセージ表示手段とを備え、
前記地図表示手段は、前記地図を表示した初期状態においては前記画面の所定位置が自装置の現在位置となるように表示させるとともに、ユーザの前記画面に対しての操作に基づいて、前記地図の前記画面上での表示を移動させ、前記画面の所定位置に相当する前記地図上の地点を示すマークと前記現在位置を示すマークとを前記画面内に同時に表示可能であり、
前記メッセージ表示手段は、前記地図表示手段による前記地図の表示の移動が行われた場合、移動された当該地図における前記画面の所定位置に相当する当該地図上の地点において前記所定の事象が起こること及び起こるまでの時間を示すメッセージを表示する情報処理装置。
【請求項２】
前記画面の所定位置は、前記画面の中央の位置に相当する位置である請求項１に記載の情報処理装置。
【請求項３】
前記メッセージ表示手段は、前記メッセージを前記地図に重ねて表示する請求項１又は請求項２に記載の情報処理装置。
【請求項４】
前記地図表示手段により前記地図が表示されている状態で、前記画面の所定位置に相当する前記地図上の地点の前記所定の事象の経時変化を示す画像を表示する経時変化表示手段を備える請求項３に記載の情報処理装置。
【請求項５】
前記所定の事象は、気象の変化である請求項１乃至請求項４のいずれか１項に記載の情報処理装置。
【請求項６】
コンピュータを、
画面に地図を表示する地図表示手段と、
前記画面の所定位置に相当する前記地図上の地点において所定の事象が起こると予測される場合に、当該所定の事象が起こること及び起こるまでの時間を示すメッセージを表示するメッセージ表示手段として機能させるためのプログラムであって、
前記地図表示手段は、前記地図を表示した初期状態においては前記画面の所定位置が自装置の現在位置となるように表示させるとともに、ユーザの前記画面に対しての操作に基づいて、前記地図の前記画面上での表示を移動させ、前記画面の所定位置に相当する前記地図上の地点を示すマークと前記現在位置を示すマークとを前記画面内に同時に表示可能であり、
前記メッセージ表示手段は、前記地図表示手段による前記地図の表示の移動が行われた場合、移動された当該地図における前記画面の所定位置に相当する当該地図上の地点において前記所定の事象が起こること及び起こるまでの時間を示すメッセージを表示するプログラム。
【請求項７】
画面に地図を表示する地図表示手段と、
前記画面の所定位置に相当する前記地図上の地点において所定の事象が起こると予測される場合に、当該所定の事象が起こる時刻または当該事象が継続する期間を示すメッセージを表示するメッセージ表示手段とを備え、
前記地図表示手段は、前記地図を表示した初期状態においては前記画面の所定位置が自装置の現在位置となるように表示させるとともに、ユーザの前記画面に対しての操作に基づいて、前記地図の前記画面上での表示を移動させ、前記画面の所定位置に相当する前記地図上の地点を示すマークと前記現在位置を示すマークとを前記画面内に同時に表示可能であり、
前記メッセージ表示手段は、前記地図表示手段による前記地図の表示の移動が行われた場合、移動された当該地図における前記画面の所定位置に相当する当該地図上の地点において前記所定の事象が起こる時刻または当該事象が継続する期間を示すメッセージを表示する情報処理装置。
【請求項８】
前記画面の所定位置は、前記画面の中央の位置に相当する位置である請求項７に記載の情報処理装置。
【請求項９】
前記メッセージ表示手段は、前記メッセージを前記地図に重ねて表示する請求項７又請求項８に記載の情報処理装置。
【請求項１０】
前記地図表示手段により前記地図が表示されている状態で、前記画面の所定位置に相当する前記地図上の地点の前記所定の事象の経時変化を示す画像を表示する経時変化表示手段を備える請求項９に記載の情報処理装置。
【請求項１１】
前記所定の事象は、気象の変化である請求項７乃至請求項１０のいずれか１項に記載の情報処理装置。
【発明の詳細な説明】
【技術分野】
【０００１】
本発明は、情報処理装置及びプログラムに関する。
【背景技術】
【０００２】
携帯端末等の画面に天気予報を表示することが行われている。
【０００３】
特許文献１には、車両に搭載したナビゲーション装置の画面に、現在地を中心とした地図を表示し、地図と重ね合わせて雨雲を表示し、現在地と目的地の天気を確認可能とすることが記載されている。
【先行技術文献】
【特許文献】
【０００４】
【特許文献１】特開平１１−２５３９号公報
【発明の概要】
【発明が解決しようとする課題】
【０００５】
特許文献１に記載の発明によれば、ユーザの現在地、あるいはユーザが所望するその他の特定の地点における今後の天気の変化を容易に認識することができない。
上記の背景に鑑み、本発明は、ユーザの現在地、あるいはユーザが所望するその他の特定の地点における、今後起こり得る事象が容易に認識できる手段を提供する。
【課題を解決するための手段】
【０００６】
本発明は、一の態様において、画面に地図を表示する地図表示手段と、前記画面の所定位置に相当する前記地図上の地点において所定の事象が起こると予測される場合に、当該所定の事象が起こること及び起こるまでの時間を示すメッセージを表示するメッセージ表示手段とを備え、前記地図表示手段は、前記地図を表示した初期状態においては前記画面の所定位置が自装置の現在位置となるように表示させるとともに、ユーザの前記画面に対しての操作に基づいて、前記地図の前記画面上での表示を移動させ、前記画面の所定位置に相当する前記地図上の地点を示すマークと前記現在位置を示すマークとを前記画面内に同時に表示可能であり、前記メッセージ表示手段は、前記地図表示手段による前記地図の表示の移動が行われた場合、移動された当該地図における前記画面の所定位置に相当する当該地図上の地点において前記所定の事象が起こること及び起こるまでの時間を示すメッセージを表示する情報処理装置を提供する。
他の態様において、画面に地図を表示する地図表示手段と、前記画面の所定位置に相当する前記地図上の地点において所定の事象が起こると予測される場合に、当該所定の事象が起こる時刻または当該事象が継続する期間を示すメッセージを表示するメッセージ表示手段とを備え、前記地図表示手段は、前記地図を表示した初期状態においては前記画面の所定位置が自装置の現在位置となるように表示させるとともに、ユーザの前記画面に対しての操作に基づいて、前記地図の前記画面上での表示を移動させ、前記画面の所定位置に相当する前記地図上の地点を示すマークと前記現在位置を示すマークとを前記画面内に同時に表示可能であり、前記メッセージ表示手段は、前記地図表示手段による前記地図の表示の移動が行われた場合、移動された当該地図における前記画面の所定位置に相当する当該地図上の地点において前記所定の事象が起こる時刻または当該事象が継続する期間を示すメッセージを表示する情報処理装置を提供する。
本発明によれば、ユーザは、着目地点において起こると予測される事象を容易に把握することができる。
【０００７】
前記画面の所定位置は、前記画面の中央の位置に相当する位置であるものとしてもよい。これによれば、ユーザは、前記画面の中央の位置に相当する位置において起こると予測される事象を、自身で着目地点を設定する操作を要することなく容易に把握することができる。
【０００８】
前記メッセージ表示手段は、前記メッセージを前記地図に重ねて表示してもよい。これによれば、ユーザは、今後起こると予測される事象が、どの地点についての予測であるのかを地図上で容易に視認することができる。
【０００９】
前記地図表示手段により前記地図が表示されている状態で、前記画面の所定位置に相当する前記地図上の地点の前記所定の事象の経時変化を示す画像を表示する経時変化表示手段をさらに備えてもよい。これによれば、ユーザは、今後起こると予測される事象が、どの地点についての予測であるのか、及び、その事象についての経時変化を容易に視認することができる。
【００１１】
好ましくは、前記所定の事象は、気象の変化である。これによれば、気象の変化に関するメッセージを生成することができる。
【００１２】
また、本発明は、他の観点において、上記情報処理装置としてコンピュータを機能を実現させるためのプログラムを提供する。
【図面の簡単な説明】
【００１３】
【図１】一実施形態に係る情報処理装置である携帯端末を含む情報処理システムの構成を示した図。
【図２】一実施形態に係る携帯端末のハードウェア構成を示したブロック図。
【図３】一実施形態に係る配信サーバのハードウェア構成を示したブロック図。
【図４】一実施形態に係る携帯端末の機能的構成を示したブロック図。
【図５】一実施形態に係る携帯端末における処理のフローを示した図。
【図６】一実施形態に係る携帯端末におけるアプリ動作時のトップ画面を示した図。
【図７】一実施形態に係る携帯端末における気象状況の表示画面を示した図。
【図８】一実施形態に係る携帯端末における気象の変化のポップアップ表示の例を示した図。
【図９】一実施形態に係る携帯端末における気象の経時変化を示す経時変化スライダの表示を示した図。
【図１０】変形例に係る携帯端末におけるアプリのトップ画面におけるアイコンの表示を示した図。
【図１１】変形例に係る携帯端末におけるイベントの開始、終了のポップアップ表示を示した図。
【図１２】変形例に係る携帯端末における渋滞、人混みの変化予測のポップアップ表示を示した図。
【図１３】変形例に係る携帯端末における気象の変化のポップアップ表示の例を示した図。
【発明を実施するための形態】
【００１４】
［実施形態］
以下に本発明の一実施形態に係る情報処理装置を説明する。図１は、一実施形態に係る情報処理装置である複数の携帯端末１−１、１−２、・・・、１−ｎを含む情報処理システムＳの構成を示した図である。
【００１５】
情報処理システムＳは、複数の携帯端末１−１、１−２、・・・、１−ｎ（以下、総称して携帯端末１という）とネットワーク回線２を介して接続される配信サーバ３、地図情報サーバ４、気象情報サーバ５とから構成される。
【００１６】
ネットワーク回線２は、インターネット等のネットワーク回線網であり、複数の携帯端末１の各々は、ネットワーク回線２に無線接続可能であり、ネットワーク回線２を介して、ネットワーク回線２に接続されている配信サーバ３との通信が可能である。
【００１７】
携帯端末１は、スマートフォン等の無線通信機能を備えたモバイル情報端末であり、ユーザにより持ち運びが可能である。携帯端末１は、配信サーバ３との通信を行い、配信サーバ３から送信される情報を携帯端末１の表示画面に表示可能である。
【００１８】
配信サーバ３は、携帯端末１に対して、ニュースや天気予報等の情報を配信可能なサーバである。地図情報サーバ４は、配信サーバ３からの要求により、指定された地域の地図情報を配信サーバ３に送信するサーバである。気象情報サーバ５は、配信サーバ３からの要求により、天気予報のための気象情報を配信サーバ３に送信するサーバである。
【００１９】
図２は、携帯端末１のハードウェア構成を示したブロック図である。携帯端末１は、プロセッサ１０１、メモリ１０２、インタフェース１０３、通信部１０４、出力部１０５、入力部１０６、測位システム１０７を有するコンピュータである。これらの構成は、例えばバスで、互いに通信可能に接続されている。
【００２０】
プロセッサ１０１は、メモリ１０２に記憶されているコンピュータプログラム（以下、単にプログラムという）を読み出して実行することにより携帯端末１の各部を制御する。
プロセッサ１０１は、例えばＣＰＵ（Central  Processing  Unit）である。
【００２１】
メモリ１０２は、プロセッサ１０１に読み込まれるオペレーティングシステム、各種のプログラム、データ等を記憶する記憶手段である。メモリ１０２は、ＲＡＭ（Random  Access  Memory）やＲＯＭ（Read  Only  Memory）を有する。なお、メモリ１０２は、ソリッドステートドライブ、ハードディスクドライブ等を有してもよい。
インタフェース１０３は、プロセッサ１０１と通信部１０４、出力部１０５、入力部１０６及び測位システム１０７とを通信可能に接続する通信回路である。
通信部１０４は、ネットワーク回線２を介して配信サーバ３との間で行う通信を制御する。
【００２２】
出力部１０５は、ディスプレイ等の表示部やスピーカ等の音声出力部で構成され、画像や文字、音声を出力する。具体的には、出力部１０５は、本実施形態ではディスプレイ１０５１で構成される。ディスプレイ１０５１は、液晶ディスプレイ、有機ＥＬディスプレイ等のフラットパネルディスプレイで構成され、画像や文字を出力する。
【００２３】
入力部１０６は、キーボードやマウス等で構成される操作部であり、ユーザの指示操作に応じて各種情報を入力する。本実施形態では、入力部１０６はタッチパネル１０６１で構成される。タッチパネル１０６１は、フラットパネルディスプレイであるディスプレイ１０５１に位置入力装置を組み合わせたタッチパッドのような電子部品であり、ユーザが画面上の表示部分に触れることで機器を操作可能な入力装置である。
【００２４】
測位システム１０７は、例えば、ＧＰＳ（Global  Positioning  System、全地球測位システム）等の衛星測位システムであり、地球上の現在位置を測定するためのシステムである。
【００２５】
携帯端末１としては、本実施形態では、スマートフォンが用いられるが、携帯可能なＰＣ（パーソナルコンピュータ）あるいは、タブレットＰＣ等を用いてもよい。
【００２６】
図３は、配信サーバ３のハードウェア構成を示したブロック図である。配信サーバ３は、プロセッサ３０１、メモリ３０２、インタフェース３０３及び通信部３０４を有するコンピュータである。これらの構成は、例えばバスで、互いに通信可能に接続されている。
【００２７】
プロセッサ３０１は、メモリ３０２に記憶されているコンピュータプログラム（以下、単にプログラムという）を読み出して実行することにより配信サーバ３の各部を制御する。プロセッサ３０１は、例えばＣＰＵ（Central  Processing  Unit）である。
【００２８】
メモリ３０２は、プロセッサ３０１に読み込まれるオペレーティングシステム、各種のプログラム、データ等を記憶する記憶手段である。メモリ３０２は、ＲＡＭ（Random  Access  Memory）やＲＯＭ（Read  Only  Memory）を有する。なお、メモリ３０２は、ソリッドステートドライブ、ハードディスクドライブ等を有してもよい。
インタフェース３０３は、プロセッサ３０１と通信部３０４とを通信可能に接続する通信回路である。
通信部３０４は、ネットワーク回線２を介して携帯端末１、地図情報サーバ４、気象情報サーバ５との間で行う通信を制御する。
なお、地図情報サーバ４、気象情報サーバ５は、配信サーバ３と同様の構成であるので、説明を省略する。
【００２９】
図４は、携帯端末１の機能的構成を示した図である。携帯端末１のプロセッサ１０１は、メモリ３０２に記憶されているプログラムを実行することにより、位置情報取得部１１、地図情報取得部１２、気象情報取得部１３、表示制御部１４及び操作検出部１５が機能する。また、表示制御部１４は、地図表示制御部１４１、メッセージ表示制御部１４２及び経時変化表示制御部１４３が機能する。
位置情報取得部１１は、測位システム１０７から現在位置の情報を取得する。すなわち、携帯端末１の地球上での現在位置情報を取得する。
【００３０】
地図情報取得部１２は、位置情報取得部１１が取得した現在位置情報を、通信部１０４を介して配信サーバ３へ送信し、配信サーバ３から現在位置周辺の地図情報を取得する。
配信サーバ３は、地図情報サーバ４と通信することにより地図情報を取得し、メモリ３０２に蓄積している。携帯端末１の地図情報取得部１２から要求される位置の地図情報がすでにメモリ３０２内に蓄積されている場合は、それらの地図情報を送信する。要求された位置の地図情報が蓄積されていない場合は、配信サーバ３は、それらの地図情報を地図情報サーバ４から取得し、メモリ３０２に蓄積するとともに、携帯端末１に送信する。
【００３１】
気象情報取得部１３は、位置情報取得部１１が取得した現在位置情報を、通信部１０４を介して配信サーバ３へ送信し、配信サーバ３から現在位置周辺の現在から所定時間前の過去から所定時間後の未来までの期間の気象情報を取得する。気象情報は、例えば、現在位置周辺の所定範囲をタイル状に細分化した各々の区域の気象を示す画像データである。
これらの画像データを位置座標毎の気象内容を示す気象データへと変換することができる。また、取得する気象情報としては、タイル状の画像データではなく、現在位置周辺の位置座標毎の気象内容からなる気象データを取得してもよい。気象データとしては、具体的には、位置座標毎の降雨又は降雪の度合いを示すデータである。これらの気象データが、
区域ごとに過去及び現在のデータ、及び未来の予報データとして取得される。
【００３２】
なお、気象情報の対象となる気象は雨、雪に限られるものではなく、風、温度、湿度、紫外線等であってもよく、これらに基づく警報、注意報その他の要警戒度（気象それ自体に対する要警戒度に限らず、気象に起因する、熱中症、感染症等の人の身体に生じる事象への要警戒度を含む）を示す情報であってもよい。
【００３３】
配信サーバ３は、気象情報サーバ５と通信することにより気象情報を取得し、メモリ３０２に過去、現在、未来の気象情報を蓄積している。携帯端末１の気象情報取得部１３から要求される位置の気象情報がすでにメモリ３０２内に蓄積されている場合は、それらの気象情報を送信する。要求された位置の気象情報が蓄積されていない場合（過去から未来までの所定期間の気象情報に欠落している期間がある場合も含む）は、配信サーバ３は、それらの気象情報を気象情報サーバ５から取得し、メモリ３０２に蓄積するとともに、携帯端末１に送信する。
【００３４】
表示制御部１４は、位置情報取得部１１、地図情報取得部１２及び気象情報取得部１３が取得した各種情報に基づいて、ディスプレイ１０５１に画像あるいは文字を表示する制御を行う。
【００３５】
地図表示制御部１４１は、地図情報取得部１２が取得した現在位置周辺の地図情報に基づいて、地図画像をディスプレイ１０５１に表示する制御を行う。また、地図表示制御部１４１は、気象情報取得部１３が取得した現在位置周辺の気象状況を画像化して、地図画像に重ね合わせてディスプレイ１０５１に表示する制御を行う。
【００３６】
メッセージ表示制御部１４２は、設定された着目地点において、所定の気象の変化が起こると予測される場合に、その気象の変化が起こることを示す情報と、その気象の変化が起こるまでの時間とを示すメッセージを生成し、地図画像に重ね合わせてディスプレイ１０５１にメッセージを含むポップアップを表示する制御を行う。着目地点とは、ディスプレイ１０５１に表示された地図画像における中央位置、携帯端末１の現在位置、あるいはユーザにより指定された地点等である。
【００３７】
メッセージ表示制御部１４２は、ポップアップ内に表示するメッセージを生成するために、現在位置あるいはユーザにより指定された地点における気象情報を分析し、所定時間内に気象の変化が起こるか否かと、起こる場合は起こる日時とを予測する。気象の変化とは、雨が降り始める、雨がやむ、雪が降り始める、雪がやむ等である。
【００３８】
経時変化表示制御部１４３は、地図表示制御部１４１によりディスプレイ１０５１に地図画像と気象情報画像とが表示されている状態において、現在位置あるいはユーザにより指定された地点における気象の経時変化を示す画像を表示する。具体的には、横軸を時間、縦軸を降雨又は降雪の度合いとし、各時間帯における降雨又は降雪の度合いを示す棒グラフを表示する。横軸の時間は、現在から過去の所定時間、現在から未来の所定時間を含むものとする。
【００３９】
操作検出部１５は、タッチパネル１０６１による操作がなされたことを検出する。具体的には、ユーザの指がディスプレイ１０５１の表示画面上のある位置をタッチしたこと、さらにタッチした状態で指をスライドさせる操作を行ったことを検出する。そして、スライドの開始位置、スライドさせた方向と距離を検出する。
【００４０】
表示制御部１４は、操作検出部１５による検出結果に基づいて表示を変化させる制御を行う。例えば、地図表示制御部１４１は、操作検出部１５による地図画像位置におけるスライドの操作の検出に基づいて、地図画像の表示をスライドさせる制御を行う。
【００４１】
図５は、携帯端末１における処理のフローを示した図である。以下に説明する処理は、携帯端末１のプロセッサ１０１が、メモリ１０２に格納されているプログラムを実行することに動作する。ここでのプログラムは、サービス提供者により作成されたアプリケーションプログラム（以下、単に「アプリ」と略す）である。
【００４２】
このアプリは、ネットワーク回線２に接続された各種アプリがアップロードされたサーバから携帯端末１へダウンロードしてメモリ１０２に格納することができる。ユーザによる操作により、アプリが起動されることにより、以下の処理が実行される。
【００４３】
アプリが起動されると、まず、位置情報取得部１１は、測位システム１０７から現在位置情報を取得する（ステップＳ５０１）。続いて、地図情報取得部１２は、現在位置に対応する地図情報を取得する（ステップＳ５０２）。続いて、気象情報取得部１３は、現在位置に対応する本日の天気予報情報を取得する（ステップＳ５０３）。続いて、表示制御部１４は、ディスプレイ１０５１にトップ画面を表示する（ステップＳ５０４）。
【００４４】
図６は、携帯端末１においてアプリが起動された直後にディスプレイ１０５１に表示されるトップ画面６００を示した図である。複数のニュース記事の見出しの他に、気象情報が表示されている。
【００４５】
気象情報表示欄６０１には、現在位置情報に基づいた現在地の名称（都市名等）と、現在位置の天気予報を示す天気マークと、本日の最高気温、最低気温が表示される。これらの表示は、表示制御部１４が、位置情報取得部１１、地図情報取得部１２、気象情報取得部１３によって取得された各種情報と現在時刻情報に基づいて行われる。
【００４６】
トップアイコン６０２は、気象情報表示欄６０１と隣接して表示される。トップアイコン６０２には、「雨雲レーダー」という表示がなされている。雨雲レーダーとは、雨（又は雪）がいつどこで降るのかを視認しやすいように提供するサービスである。
【００４７】
本実施形態では、雨雲レーダーのサービスを、現在位置付近の地図画像に気象情報を重ね合わせて表示した画像を表示させることにより実現する。ユーザがトップアイコン６０２をタッチすることにより、以下に説明するように、雨雲レーダーのための画面への表示の切り替えの制御が行われる。
【００４８】
図５に戻って説明すると、操作検出部１５は、ユーザがディスプレイ１０５１に表示されているトップアイコン６０２の位置をタッチする操作をしたか否かを検出する（ステップＳ５０５）。検出されない場合（ステップＳ５０５：Ｎｏ）、表示制御部１４は、ステップＳ５０４におけるトップ画面６００の表示処理を続ける。
【００４９】
操作検出部１５がトップアイコン６０２に位置をタッチする操作をした場合（ステップＳ５０５：Ｙｅｓ）、表示制御部１４は、画面表示を切り替えるための処理を行う。
【００５０】
まず、表示制御部１４の地図表示制御部１４１は、現在位置付近の地図情報を取得する（ステップＳ５０６）。続いて、地図表示制御部１４１は、現在位置付近の気象情報を取得する（ステップＳ５０７）。そして、地図表示制御部１４１は、取得した地図情報と気象情報とに基づいて、地図画像を生成し、ディスプレイ１０５１に表示する制御を行う。さらに、取得した気象情報に基づいて現在の気象を示す気象画像を生成し、地図画像に重ね合わせてディスプレイ１０５１に表示する制御を行う。
【００５１】
図７は、携帯端末１においてディスプレイ１０５１に表示される地図画像と気象画像を示した図である。表示される地図表示画面６２０には、ポップアップ６２１、中央位置マーク６２２、現在位置マーク６２３、降雨地域６２４ａ、６２４ｂ、６２４ｃ、経時変化スライダ６２５が表示されている。
【００５２】
中央位置マーク６２２は、表示されている地図の中央位置を示している。現在位置マーク６２３は、表示されている地図上における携帯端末１の現在位置を示している。トップアイコン６０２がユーザによりタッチされ、地図表示画面６２０が表示された際の初期状態では、中央位置マーク６２２と現在位置マーク６２３とは一致している。すなわち、初期状態では、地図の中央位置が現在位置となるように地図が表示されている。
【００５３】
現在位置マーク６２３の表示位置は、ユーザが地図画像の任意の位置をタッチしてスライド操作をすることにより画面上での位置を変更することができる。ユーザが地図画像の任意の位置をタッチしてスライド操作をすることにより、スライド操作の方向と距離に応じて地図画像が移動する。地図画像の移動に伴って現在位置マーク６２３の表示位置も移動する。中央位置マーク６２２は、スライド操作がされても表示された地図の常に中央位置に表示されている。
【００５４】
降雨地域６２３ａ、６２３ｂ、６２３ｃは、地図画像に重ね合わされて表示された降雨（又は降雪）の状況を示す画像である。地図上の降雨地域６２３ａ、６２３ｂ、６２３ｃの各々が示す地域は、雨雲が発生している地域であり、雨（又は雪）が降っている又はまもなく降りそうな地域を示している。具体的には、降雨地域６２３ａは曇天であるが雨（又は雪）が降っていない地域、降雨地域６２３ｂは弱い雨（又は雪）が降っている地域、
降雨地域６２３ｃは、雨又は雪（降雨地域６２３ｂよりは強い雨又は雪）が降っている地域を示している。これらの３つの地域は色分けして表示される。これらの３つの地域以外に、雨がさらに強い地域として、「強い雨（又は雪）」、「危険な雨（又は雪）」の地域が別の色で表示される場合がある。
ポップアップ６２１、経時変化スライダ６２５については後述する。
【００５５】
図５に戻って説明すると、地図表示画面６２０が表示された状態で、メッセージ表示制御部１４２は、現在から所定時間内に気象の変化が予測されるか否かを判断する（ステップＳ５０９）。メッセージ表示制御部１４２は、気象情報取得部１３が取得した気象情報の未来の気象予報情報に基づいて、画面に表示されている中央位置マーク６２２の地点において、所定時間（例えば、現在から１０時間以内）に気象の変化が起こるか否かを判断する。
【００５６】
気象の変化とは、現在雨（又は雪）が降っていない状態であれば、雨（又は雪）が降り始めること、あるいは、現在雨（又は雪）が降っている状態であれば、雨（又は雪）がやむこと等である。弱い雨（又は雪）が降っている状態から、雨（又は雪）が強くなること、あるいは、強い雨（又は雪）が降っている状態から、雨（又は雪）が弱くなる又はやむことを含めてもよい。
【００５７】
メッセージ表示制御部１４２は、所定時間内に気象の変化が予測されると判断した場合（ステップＳ５０９：Ｙｅｓ）、気象の変化の内容と変化が起こるまでの時間を示す情報を含むポップアップ画像を生成し、地図表示画面６２０の地図画像に重ねて表示する制御を行う（ステップＳ５１０）。
【００５８】
図７におけるポップアップ６２１は、メッセージ表示制御部１４２が生成して表示したポップアップ画像を示している。ポップアップ６２１は、中央位置マーク６２２に対応して表示される。
【００５９】
図８は、ポップアップ６２１の表示例を示した図である。図８（ａ）は、現在雨が振っていない状態で、５５分後に雨が降り始めると予測される場合に表示するポップアップ６２１ａを示している。図８（ｂ）は、現在雨が降っている状態で、１５分後に雨がやむと予測される場合に表示するポップアップ６２１ｂを示している。
【００６０】
ポップアップ６２１ａ、６２１ｂのいずれも、ポップアップ内の左側には、予測される変化を示す天気マークを表示している。ポップアップ６２１ａでは雨の天気マーク、ポップアップ６２１ｂでは曇りのち晴れの天気マークを表示する。ポップアップ６２１ａでは、雨が降り始めることに対しての注意をユーザに促すために、雨の天気マークに警告マークを重ねて合わせて表示する。
【００６１】
ポップアップ６２１ａ、６２１ｂのいずれも、ポップアップ内の右側には、予測される変化の内容を示す文字を表示する。ポップアップ６２１ａでは、例えば「あと５５分ほどで雨が降り始める予報です」と表示し、ポップアップ６２１ｂでは、例えば「あと１５分ほどで雨がやむ予報です」と表示する。
【００６２】
メッセージ表示制御部１４２は、所定時間内に気象の変化が予測されないと判断した場合（ステップＳ５０９：Ｎｏ）、ステップＳ５１０でのポップアップ表示の制御はしない。続いて、操作検出部１５は、経時変化スライダ６２５に対してユーザが操作を行ったか否かの検出を行う（ステップＳ５１１）。
【００６３】
ここで、経時変化スライダ６２５について説明する。
図９は、図７の地図表示画面６２０に表示される、気象の経時変化を示す経時変化スライダ６２５を示した図である。
経時変化スライダ６２５には、気象の経時変化を示す棒グラフ６２５ａと、スライド操作をするためのポインタ６２５ｂとが表示されている。
【００６４】
棒グラフ６２５ａは、横軸を時刻とし、縦軸を雨（又は雪）の強さ（降雨量、降雪量でもよい）を示したグラフである。横軸の各々の時刻について、雨（又は雪）が強いほど高さが高い棒が表示される。雨（又は雪）が降らない時間帯では、棒は表示されない。
【００６５】
横軸に時刻は、例えば、過去２時間前から未来１０時間後までの目盛りが表示される。
図９においては、横軸の中央位置が、現在からほぼ１時間後の時刻であり、横軸の左端が現在からほぼ２時間前、右端が現在からほぼ１０時間後となっている。左端から中央位置までの目盛りに対して、中央位置から右端までの目盛りは１時間当たりの幅が狭くなっている。
【００６６】
棒グラフ６２５ａが示す雨（又は雪）の強さは、現在から過去の時刻においては気象情報の降雨量（又は降雪量）の計測値に基づいた値を示し、未来の時刻においては、気象情報の降雨量（又は降雪量）の予報値に基づいた値を示している。
【００６７】
経時変化スライダ６２５のポインタ６２５ｂは、図７の地図表示画面６２０が表示される初期状態においては、横軸の現在時刻位置に表示されている。このとき、地図表示画面６２０の気象画像は、現在時刻の気象を示す画像が表示されている。
【００６８】
ユーザが、ポインタ６２５ｂにタッチして左右方向にスライド操作を行うと、操作検出部１５は、それらの操作を検出して、スライド操作の方向と距離に応じた位置にポインタ６２５ｂを移動させて表示する制御を行う。すなわち、ユーザがポインタ６２５ｂのスライド操作をすることにより、ポインタ６２５ｂの表示位置が移動する。
【００６９】
そして、ポインタ６２５ｂの表示位置が移動すると、地図表示制御部１４１は、移動したポインタ６２５ｂの横軸上の位置が示す時刻における気象を示す画像を表示する。すなわち、ユーザは、ポインタ６２５ｂを移動させる操作をすることによって、経時変化スライダ６２５の時間軸内の任意の時刻の気象画像を表示させることができる。
【００７０】
図５に戻って説明する。操作検出部１５により、経時変化スライダ６２５に対してユーザがポインタ６２５ｂをスライドする操作を行ったことが検出された場合（ステップＳ５１１：Ｙｅｓ）、ステップＳ５０７に戻る。ステップＳ５０７において、気象情報取得部１３は、移動したポインタ６２５ｂが示す時刻における気象情報を再度取得する。そして、ステップＳ５０８において、地図表示制御部１４１は、取得した気象情報に基づいて気象画像を生成し、地図画像に重ね合わせて再度表示する制御を行う。
【００７１】
操作検出部１５は、経時変化スライダ６２５に対しての操作が検出されない場合（ステップＳ５１１：Ｎｏ）、続いて、ユーザが地図画像の表示部分をスライドする操作を行ったか否かを検出する（ステップＳ５１２）。図７の説明で述べたように、ユーザが地図画像の任意の位置をタッチしてスライド操作をすることにより、地図画像の表示を移動させることができ、現在位置マーク６２３の表示位置を移動させることができる。
【００７２】
操作検出部１５により、ユーザが地図画像の表示部分をスライドする操作を行ったことが検出された場合（ステップＳ５１２：Ｙｅｓ）、ステップＳ５０６に戻り、地図情報取得部１２は、操作検出部１５が検出したスライド操作の方向と距離に応じて、表示すべき地図画像を生成するための地図情報を再度取得する。さらに、ステップＳ５０７において、気象情報取得部１３は、操作検出部１５が検出したスライド操作の方向と距離に応じて、表示すべき気象画像を生成するための気象情報を再度取得する。
【００７３】
そして、ステップＳ５０８において、地図表示制御部１４１は、取得した地図情報に基づいて地図画像を生成し、さらに、取得した気象情報に基づいて気象画像を生成し、地図画像と気象画像とを重ね合わせて再度表示する制御を行う。
【００７４】
操作検出部１５により、ユーザが地図画像の表示部分をスライドする操作を行ったことが検出されない場合（ステップＳ５１２：Ｎｏ）、ステップＳ５０９へ戻り処理を続ける。
【００７５】
なお、メッセージ表示制御部１４２により表示されたポップアップ６２１は、地図表示画面６２０が他の画面に切り替えられたり、あるいは地図の表示位置がスライドされる等の操作が行われたりしなければ表示され続ける。経時変化スライダ６２５のポインタ６２５ｂをスライドする操作が行われ、気象画像の表示が更新された場合も、ポップアップ６２１は表示され続ける。メッセージ表示制御部１４２は、時間経過に伴って、表示されているポップアップ６２１内の時間表示を更新する。また、予測に変更があった場合は、表示を変更あるいは消滅させる場合がある。
【００７６】
地図表示画面６２０の表示の際の気象情報取得部１３による気象情報の取得は、経時変化スライダ６２５において表示される時間軸の範囲（上述の例では、過去２時間分、未来１０時間分）の時間帯の気象情報を取得すればよい。これらの時間帯の気象情報を取得しておくことで、経時変化スライダ６２５のポインタ６２５ｂが操作された場合でも、地図表示制御部１４１は、再度気象情報を取得することなく、気象画像の表示を行うことができる。
【００７７】
また、これらの時間帯の気象情報は、配信サーバ３から受信したデータを携帯端末１のメモリ１０２に格納してもよいが、配信サーバ３のメモリ３０２に格納しておき、現在時刻における気象情報のみ携帯端末１のメモリ１０２に格納しておいてもよい。この場合、携帯端末１の地図表示画面６２０にて経時変化スライダ６２５のポインタ６２５ｂが操作された場合等により、他の時間帯の気象情報が必要となった場合に、配信サーバ３に要求して、必要な時間帯の気象情報を配信サーバ３から受信すればよい。
【００７８】
また、配信サーバ３は、携帯端末１からの要求に応じて気象情報を送信するが、以前に気象情報サーバ５から受信した気象情報はメモリ３０２に格納されている。要求された気象情報がメモリ３０２にすでに格納されている場合は、格納されている気象情報を携帯端末１に送信する。格納されていない場合、あるいは欠落している場合は、未格納分、欠落分を気象情報サーバ５に要求し、受信した気象情報を携帯端末１に送信するとともに、メモリ３０２に格納する。
【００７９】
以上のような実施形態によれば、地図表示画面６２０において、画面の中央に相当する地図上の位置（表示の初期状態では現在位置）における気象の変化が起こること及び起こるまでの時間を容易に視認することができる。
【００８０】
また、本実施形態によれば、地図表示画面６２０におけるユーザのスライド操作により、図７に示したように、画面の中央を示す中央位置マーク６２２と現在位置を示す現在位置マーク６２３とを同一画面内に表示することができる。すなわち、ユーザは、移動予定先の目的地等の所望の位置が画面の中央となるように操作することにより、現在位置と所望の位置とを同一画面内に表示させることができる。そして、ユーザは、現在位置と所望の位置との位置関係を地図上で直感的に把握しつつ、例えばこれから移動しようとする目的地における気象の変化を、ポップアップ６２１が表示されることにより、前もって知ることができる。
【００８１】
このように、地図表示画面６２０において、地図画像に重ねてポップアップ６２１を表示し、気象の変化が起こる時間をポップアップ表示することにより、現在位置と気象変化が起こる地点との距離と、気象の変化が起こるまでの時間とを、ユーザが同時に視認することができるという効果がある。
【００８２】
また、このことは、ユーザが様々な判断をするための助けとなる。例えば、目的地において、１５分後の雨が降り始めることが把握できれば、ユーザは、地図上での目的地と現在位置との位置関係から、徒歩で向かうと１５分で着くことができないと考えれば、傘を準備する、あるいは電車、バス又はタクシーを利用する等の判断が可能となる。
また、ポップアップ６２１は、気象の変化が予測されない場合は表示されないので、頻繁に表示されるわけではなく、表示が煩雑にならない。
【００８３】
また、ユーザにより地図をスライドさせる操作がなされた結果、地図の中央に相当することとなった地点に気象の変化が予測される場合は、ポップアップ６２１が表示されるので、ユーザは、スライド操作をするだけで気象変化がある地点に気づくことができる。
【００８４】
例えば、ユーザが移動先の地点を選定しようとする場合、地図の中央位置となっている地点に雨が降り始めることを予測するポップアップ６２１が表示された場合、地図表示をスライドさせることにより、ポップアップ６２１が表示されない地点を探すことができる。
【００８５】
［変形例］
上述した実施形態は様々に変形する・BR>アとができる。以下にそれらの変形の例を示す。なお、上述した実施形態及び以下に示す変形例は適宜組み合わされてもよい。
【００８６】
（１）上述した実施形態においては、トップ画面６００に表示されたトップアイコン６０２をユーザがタッチすることにより、まず地図表示画面６２０が表示され、その表示画面に重ねてポップアップ６２１を表示し、気象の変化の予測をユーザに知らせる構成としたが、通知の方法はこれに限定されない。トップ画面６００に表示されるトップアイコン６０２の中に、例えば現在位置あるいはあらかじめユーザが登録した地点に関する気象の変化の予測結果を表示してもよい。この場合であっても、トップアイコン６０２をタッチすることで、地図表示画面上にポップアップ６２１が表示されるので、気象の変化が通知された位置を直感的に把握することできる。
【００８７】
また、アプリ内における通知に限らず、携帯端末１へのプッシュ通知により気象の変化の予測をユーザに知らせる構成としてもよい。この場合であっても、ユーザは現在位置あるいは所定の地点において気象の変化が予測されることを把握できる。
【００８８】
図１０は、変形例に係るトップ画面に表示されるトップアイコンの表示例を示した図である。図１０（ａ）は、通常時（すなわち、気象の変化の予測がない場合）に表示されるトップアイコン６０２ａを示した図である。トップアイコン６０２ａ内の右側に「雨雲レーダー」という文字を表示し、左側にレーダーを示すマークを表示する。
【００８９】
図１０（ｂ）は、現在雨が降っていない状態であり、所定時間内に雨が降り始めることが予測される場合に表示されるトップアイコン６０２ｂを示した図である。トップアイコン６０２ｂ内の右側に、例えば「２時間後に雨の予報」という文字を表示し、左側には、
雨を示す天気マークと、その天気マークに重ねた警告マークとを表示する。
【００９０】
図１０（ｃ）は、現在雪が降っていない状態であり、所定時間内に雪が降り始めることが予測される場合に表示されるトップアイコン６０２ｃを示した図である。トップアイコン６０２ｃ内の右側に、例えば「２時間後に雪の予報」という文字を表示し、左側には、
雪を示す天気マークと、その天気マークに重ねた警告マークとを表示する。
【００９１】
図１０（ｄ）は、現在雨が降っている状態であり、所定時間内に雨がやむことが予測される場合に表示されるトップアイコン６０２ｄを示した図である。トップアイコン６０２ｄ内の右側に「雨雲レーダー」という文字を表示し、左側に雨を示す天気マークを表示する。警告マークは表示されていないので、ユーザは、現在は雨が降っているが所定時間内に雨がやむことを認識できる。
【００９２】
図１０（ｅ）は、現在雪が降っている状態であり、所定時間内に雪がやむことが予測される場合に表示されるトップアイコン６０２ｅを示した図である。トップアイコン６０２ｅ内の右側に「雨雲レーダー」という文字を表示し、左側に雪を示す天気マークを表示する。警告マークは表示されていないので、ユーザは、現在雪が降っているが所定時間内に雪がやむことを認識できる。
【００９３】
以上のような図１０に示したトップアイコン６０２の表示を変化させるためには、上述の実施形態における図５のステップＳ５０３における気象情報を取得処理において、現在位置における現在の気象情報のみでなく、未来の気象情報（気象予報情報）を取得することとすればよい。気象情報取得部１３が取得した未来の気象予報情報により、現在位置において所定時間内に気象の変化が起こるが否かを判断することにより、表示制御部１４は、図１０に示したようなトップアイコンの表示を変化させる制御を行うことができる。
【００９４】
以上のようなトップアイコン６０２の表示により、ユーザは、トップ画面６００のトップアイコン６０２を見るだけで、現在位置における所定時間内の気象の変化の有無を確認することができる。
【００９５】
（２）上述した実施形態においては、ポップアップ６２１の表示は、画面の中央に表示された地図上の位置についての気象の変化に対して行ったが、携帯端末１の現在位置に対して行ってもよい。この場合、地図表示画面６２０において、現在位置マーク６２３に対応した位置にポップアップ６２１を表示させる。また、地図上のユーザが任意に指定した位置に対してポップアップ６２１を表示することとしてもよい。地図の中央位置、現在位置、その他の任意位置のいずれかのポップアップ６２１の表示対象位置の選択をユーザが設定できるようにしてもよい。
【００９６】
また、ポップアップ６２１を表示は、複数の位置に対して行ってもよい。例えば、画面の中央位置と現在位置（図７の中央位置マーク６２２と現在位置マーク６２３）の両方に対して行なってもよい。このようにすることにより、ユーザが中央位置が目的地となるように画面表示を操作した場合に、ユーザは現在位置と目的地の両方の気象の変化の予測を同じ画面で視認することができる。
【００９７】
以上のように、複数の位置に対してポップアップ６２１の表示を行う場合、経時変化スライダ６２５の表示は、気象の変化が予測される位置に対応する表示を優先すればよい。
また、複数の位置で気象の変化が予測される場合は、各々の位置に対応する複数の経時変化スライダ６２５の表示を行なってもよい。
【００９８】
（３）上述の実施形態においては、ポップアップ６２１の表示をするための予測を生成する処理は、携帯端末１のメッセージ表示制御部１４２が行うこととしたが、配信サーバ３で行い、ポップアップ表示すべき内容を、携帯端末１に送信することとしてもよい。
【００９９】
（４）上述の実施形態においては、ポップアップ６２１の表示は気象の変化を対象としたが、他の事象の変化を対象としてもよい。例えば、花粉、ＰＭ２．５等の大気中に浮遊する微小な粒子の飛散状況の変化や、桜の開花時期、紅葉の時期、梅雨入りの時期等の表示を行ってもよい。
また、自然現象の変化以外に、スポーツ等のイベントやバーゲンセールの開催や終了、道路の渋滞や人出による混雑の発生、消滅の表示を行ってもよい。
【０１００】
図１１は、地図表示画面において、スポーツイベントとバーゲンセールの開催、終了をポップアップ表示する例を示した図である。地図表示画面６４０において、表示された地図内の場所（競技場や店舗）において、所定時間内にイベントやバーゲンセールが開催される場合に、開催される内容と、開催されるまでの時間と、関連する画像を含むポップアップを表示する。
【０１０１】
図１１においては、地点６４１にある競技場において、オリンピックの特定種目の競技が、５４分２６秒後に開始されることがポップアップ６４２として表示されている。時間表示は、時間の経過とともにカウントダウンされた表示が更新される。
【０１０２】
また、地点６４３にある飲食店において、開催されているバーゲンセールがあと４２分５３秒で終了することがポップアップ６４４として表示されている。時間表示は、時間の経過とともにカウントダウンされた表示が更新される。
【０１０３】
図１１に示したようなポップアップを表示するために、携帯端末１は、ネットワーク回線２に接続されたイベント情報等が蓄積されたサーバから現在位置付近で開催されるイベント、バーゲンセール等の情報を取得する。そして、表示制御部１４において、それらの情報を分析することにより、図１１に示したようなポップアップを生成して表示する制御を行う。
【０１０４】
なお、図１１の地図表示画面６４０においては、気象画像の表示は必ずしも必要ではないが、気象画像を表示してもよい。また、上述の実施形態における気象の変化の予測を示すポップアップを、図１１の地図表示画面６４０に表示してもよい。表示することにより、ユーザは、イベントやバーゲンセールの開催地点における気象を容易に確認できる。
【０１０５】
また、図１１の地図表示画面６４０において、経時変化スライダを表示してもよい。経時変化スライダは、イベントやバーゲンセールが開催される時間帯に棒グラフを表示すればよい。また、経時変化スライダは、ポップアップが表示されているイベントやバーゲンセールに対応したもののみ表示すればよく、ポップアップが表示されていない場合は、経時変化スライダを表示しなくてもよい。図１１に示すように複数のポップアップが表示されている場合は、各々のポップアップに対応する複数の経時変化スライダの表示を行なってもよい。
【０１０６】
図１２は、地図表示画面において、自動車の渋滞の予測や、人出による混雑の予測をポップアップ表示する例を示した図である。地図表示画面６６０において、表示された地図内の場所（道路等）において、所定時間内に渋滞や混雑が発生又は消滅する場合に、発生又は消滅する内容と、発生又は消滅するまでの時間とを含むポップアップを表示する。
【０１０７】
図１２においては、地図表示画面６６０に表示された地点６６１の道路において、２時間後に渋滞が始まることがポップアップ６６２として表示されている。また、地点６６３において、３時間後に人混みが発生することがポップアップ６６４として表示されている。
【０１０８】
図１２に示したようなポップアップを表示するために、携帯端末１は、ネットワーク回線２に接続された渋滞、人混み情報が蓄積されたサーバから現在位置付近で発生、消滅する渋滞、人混み情報を取得する。そして、表示制御部１４において、それらの情報を分析することにより、図１２に示したようなポップアップを生成して表示する制御を行う。
【０１０９】
なお、図１２の地図表示画面６６０においては、気象画像の表示は必ずしも必要ではないが、気象画像を表示してもよい。また、上述の実施形態における気象の変化の予測を示すポップアップを、図１１の地図表示画面６４０に表示してもよい。表示することにより、ユーザは、渋滞、人混みの発生、消滅位置における気象を容易に確認できる。
【０１１０】
また、図１２の地図表示画面６６０において、経時変化スライダを表示してもよい。経時変化スライダは、渋滞や人混みが発生すると予想される時間帯に棒グラフを表示すればよい。また、経時変化スライダは、ポップアップが表示されている地点に対応したもののみ表示すればよく、ポップアップが表示されていない場合は、経時変化スライダを表示しなくてもよい。図１２に示すように複数のポップアップが表示されている場合は、各々のポップアップに対応する複数の経時変化スライダの表示を行なってもよい。
【０１１１】
（５）上述の実施形態においては、メッセージ表示制御部１４２は、地図表示画面６２０が表示されている状態で、ポップアップ６２１の表示を行うものとしたが、ポップアップ６２１を表示するタイミングは、これに限定されない。
【０１１２】
ポップアップ６２１は、アプリの地図表示画面６２０以外の画面が表示されている状態のときに表示されてもよい。また、ポップアップ６２１は、アプリが起動している状態で他のアプリの画面あるいはシステムの画面に表示が切り替えられているときに表示されてもよい。
【０１１３】
これらの場合、ポップアップ６２１には、携帯端末１の現在位置における気象の変化の内容と起こるまでの時間を表示すればよい。なお、現在位置に限らず、現在位置から予め設定された所定の範囲内（例えば、現在位置から半径１ｋｍ以内等）において変化が起こることが予測される場合に表示してもよい。
【０１１４】
上述の実施例においては、メッセージ表示制御部１４２によって生成され表示されるメッセージは、事象が発生するまでの時間の長さを示すものであった。しかし、図１３に示すように、表示されるメッセージには、事象が発生する時点（日時や時分など）が含まれていてもよい。ここで、当該メッセージに示される時間長は、現在時刻からの当該事象の発生までの時間の長さであってもよいし、所定の時点（例えばユーザが予め指定した時刻あるいは他の条件に基づいて決定される基準時刻）から当該事象の発生までの時間長であってもよい。あるいは、天気のように事象が継続性のあるものとして定義されうる場合に、表示されるメッセージには、当該事象が継続すると予測される期間（現在時点から事象終了までの期間）が示されていてもよい。例えば、事象が降雨の発生である場合において、降雨の予想継続期間（換言すると、雨がやむと予想される時点までの長さ）として、「雨が６時間ほど続きます」というメッセージが表示される。
すなわち、本願発明において、事象が発生すると予測されるタイミング（時点）、事象が発生すると予測されるまでの時間の長さ（残時間）、およびすでに発生した事象が継続すると予測される期間の少なくともいずれかに関する情報がメッセージに含まれていればよい。
【０１１５】
また、プロセッサ１０１は、事象の発生する時点（タイミング）、発生までの期間の長さ、事象の継続時間のいずれかを表示するかを、現在時刻から当該事象の発生予測時点までの期間の長さに応じて決定してもよい。例えば、当該期間の長さが予め定められた閾値（例えば１時間）以下である場合は、図７に示すように、予測発生時刻までの期間の長さを表示する一方、当該期間の長さが当該閾値以上である場合は、図１３に示すように事象の予測発生時刻を表示する。換言すると、事象発生までの期間に余裕がない（逼迫度が高いあるいは近未来のもの）場合はカウントダウン形式で時間情報を提示する一方、事象発生までの期間に余裕がある（逼迫度が低いあるいは遠い未来のもの）場合は絶対時間の形式で提示する。
【０１１６】
上記閾値は、事象によらず、ユーザが独自に設定してもよい。あるいは、上記閾値の設定や、上述した３つの時刻の表現形式のどれを選択するのかについては、事象の性質（種類、重要度、カテゴリ）などに応じて予め設定されていてもよい。例えば、事象が天候の変化に関係するものである場合は、発生までの期間長の表現形式を採用し、事象がスポーツイベントに関するものである場合は事象の発生タイミングの表現形式を採用する。
【０１１７】
表示される時間に関する情報は、ある一点の時間ないし期間を示すだけでなく、有限の幅を持つ情報であってもよい。例えば、プロセッサ１０１は「雨が降り始めるのはおよそ午前９時ごろです」というメッセージを生成する。あるいは、時刻を示す定量的または直接的な情報に加えてまたは替えて、時刻を示す定性的または間接的な情報を含んでいてもよい。定性的な情報とは、例えば事象の発生する不確実性や確率を示す情報である。例えば、事象発生までの期間が所定期間（例えば１０分）以内という情報を取得した場合、プロセッサ１０１が生成するメッセージは、「雨が１０分以内に降ります」というものではなく「雨がまもなく降ります」という内容とする。あるいは、「雨が少なくとも２時間降り続きます」、あるいは「交通渋滞はおそらく午後３時から午後５時の間まで続くでしょう」といった具合である。
【０１１８】
要するに、本発明においては、設定された着目地点において所定の事象が起こると予測される場合に、当該所定の事象が起こること、及び起こるタイミング、起こるまでの時間の長さ、または当該事象が継続する期間に関する情報をユーザに通知すればよい。ここで、事象の発生とは、事象の発生だけでなく継続していた事象が終了することを含む概念であって、広く、将来生じると予測される、物事に変化が生じることを含むものである。
【符号の説明】
【０１１９】
１…携帯端末、２…ネットワーク回線、３…配信サーバ、４…地図情報サーバ、５…気象情報サーバ、１１…位置情報取得部、１２…地図情報取得部、１３…気象情報取得部、１４…表示制御部、１５…操作検出部、１０１・・・プロセッサ、１０２…メモリ、１０３…インタフェース、１０４…通信部、１０５…出力部、１０６…入力部、１０７…測位システム、１４１…地図表示制御部、１４２…メッセージ表示制御部、１４３…経時変化表示制御部、３０１…プロセッサ、３０２…メモリ、３０３…インタフェース、３０４…通信部、６００…トップ画面、６０１…気象情報表示欄、６０２、６０２ａ、６０２ｂ、６０２ｃ、６０２ｄ、６０２ｅ…トップアイコン、６２０…地図表示画面、６２１、６２１ａ、６２１ｂ…ポップアップ、６２２…中央位置マーク、６２３…現在位置マーク、６２４ａ、６２４ｂ、６２４ｃ…降雨地域、６２５…経時変化スライダ、６２５ａ…棒グラフ、６２５ｂ…ポインタ、６４０…地図表示画面、６４１…地点、６４２…ポップアップ、６４３…地点、６４４…ポップアップ、６６０…地図表示画面、６６１…地点、６６２…ポップアップ、６６３…地点、６６４…ポップアップ、１０５１…ディスプレイ、１０６１…タッチパネル、Ｓ…情報処理システム。
【要約】
【課題】事象の変化が容易に確認できる手段を提供する。
【解決手段】携帯端末１は、設定された着目地点において所定の事象が起こると予測される場合に、当該所定の事象が起こること及び起こるまでの時間または当該事象の起きる時点を示すメッセージを表示するメッセージ表示制御部１４２を備える。前記着目地点は、情報処理装置１の現在位置に設定されてもよい。また、前記着目地点を含む地図を表示する地図表示制御部１４１を備え、メッセージ表示制御部１４２は、前記メッセージを前記地図に重ねて表示してもよい。
【選択図】図４【図１】
0006974648.tif 000002
【図２】
0006974648.tif 000003
【図３】
0006974648.tif 000004
【図４】
0006974648.tif 000005
【図５】
0006974648.tif 000006
【図６】
0006974648.tif 000007
【図７】
0006974648.tif 000008
【図８】
0006974648.tif 000009
【図９】
0006974648.tif 000010
【図１０】
0006974648.tif 000011
【図１１】
0006974648.tif 000012
【図１２】
0006974648.tif 000013
【図１３】
0006974648.tif 000014